(57)【特許請求の範囲】
【請求項１】
トラック等の荷台上に前後方向の主コンベヤを設け、主コンベヤの一端を荷台に設けた混合機の上部に臨ませ、主コンベヤの他端側上方にロールスクリーンを配設し、中程上部に石灰粉供給機を配設し、かつ上記混合機の下部荷台上に混合物正逆コンベヤを設け、混合物を荷台の右にも左にも搬送可能であって、該混合物正逆コンベヤの先端下部地面に支持される混合物スクリーン及び該スクリーンの篩下搬出コンベヤを荷台上に着脱自在に搭載可能で、上記地面で該搬出コンベヤを荷台の前方、斜前方、側方、斜後方及び後方に向わせることができるよう構成してなる掘削土リサイクル処理プラント。
【発明の詳細な説明】
【０００１】
【発明の属する技術分野】
本発明は公共工事で発生する多量の掘削土を再利用するため、該掘削土から改良土を製造し、埋戻材としてリサイクルするプラントに関するものである。
【０００２】
【従来の技術】
従来公共工事で発生する多量の掘削土はストックヤードに堆積され、これを地上設置の大形プラントで再生処理し、埋戻材等の改良土に再加工するものであった。
【０００３】
そのためストックヤードが多数個所に分散し、比較的小量の掘削土を堆積している場所において上記改良土を得るため大形プラントを設けることは困難であって、水道管、ガス管、配線ダクト等の埋設溝等への埋戻しのような小規模工事用には利用し難いという問題があった。
【０００４】
【発明が解決しようとする課題】
本発明は道路等の配管工事において必要とする比較的小量の埋戻し材を小規模ストックヤードにおいて掘削土から簡便に再生し、かつ小規模ストックヤードに必要に応じて移動できる掘削土リサイクル処理プラントを得ることを目的とする。
【０００５】
上記の目的を達成するため本発明は
トラック等の荷台上に前後方向の主コンベヤを設け、主コンベヤの一端を荷台に設けた混合機の上部に臨ませ、主コンベヤの他端側上方にロールスクリーンを配設し、中程上部に石灰粉供給機を配設し、かつ上記混合機の下部荷台上に混合物正逆コンベヤを設け、混合物を荷台の右にも左にも搬送可能であって、該混合物正逆コンベヤの先端下部地面に支持される混合物スクリーン及び該スクリーンの篩下搬出コンベヤを荷台上に着脱自在に搭載可能で、上記地面で該搬出コンベヤを荷台の前方、斜前方、側方、斜後方及び後方に向わせることができるよう構成してなる掘削土リサイクル処理プラント
によって構成される。
【０００６】
【発明の実施の形態】
本発明ではトラック１を掘削土ストックヤードに走行させて停止し、荷台２上に支持した混合物スクリーン８及びその篩下搬出コンベヤ９を荷台２から地面１０に降ろし、図２、図３に示すように混合物コンベヤ７の先端下部に混合物スクリーン８を地面１０に支持し、該スクリーン８の下に篩下搬出コンベヤ９の始端部を臨ませる。篩下搬出コンベヤ９の中程を腕１１、１１及び車輪１２で支持して先端部を上方に傾斜させる（図３）。
【０００７】
この状態において掘削土塊をロールスクリーン５上に投入すると掘削土塊はロールスクリーン５（例えば篩目１００ｍｍ）のロール５’及びフランジ５”の回転によって土塊は割れて１００ｍｍ以下の篩下となって主コンベヤ３上に落下し、玉石等の篩上はロールスクリーン５の傾斜方向（後方）に転動して案内板１３から地上１０に落下する。
【０００８】
上記篩下土塊又は土は水分を若干含み、かつ掘削時空気を含み膨潤し主コンベヤ３によって前方に搬送され、その途中で石灰粉供給機６から石灰粉が掘削土に供給され、さらに主コンベヤ３の一部から混合機４内に供給され、混合機４の内部の高速ローター４ａ、４ｂ、及び低速ローター４ｃ（図３）によって小さく混合され下方の混合物コンベヤ７から振動形混合スクリーン８上に落下し、篩下は篩下搬出コンベヤ９によって地上（地面）１０上に堆積され、篩上は混合物スクリーン８の一方（図２右方）から地上１０に排出する。
【０００９】
篩下搬出コンベヤ９は図２仮想線で示すようにトラック１の右前方、斜右前方、右側方、斜右後方に向わせることが可能であり、又振動形混合物スクリーン８の方向変更して上記コンベヤ９を右後方に向わせることができる。又該スクリーン８を図２仮想線で示すように荷台２の左側に地面１０に配置しトラック１の左前方、斜左前方、左側方、斜左後方又は左後方に上記コンベヤ９で搬出することが可能である。
【００１０】
上述のように堆積された篩下は搬出トラックに積込まれ、ガス管埋設工事等の公共工事現場に搬送され、埋戻材として再利用される。
【００１１】
その後混合物スクリーン８及び篩下搬出コンベヤ９を図１に示すように荷台２上に搭載し、トラック１を運転して上記ストックヤードから撤去する。
【００１２】
【実施例】
キャブオーバー運転席１’を有しその後部に荷台２を有する４トン程度のトラック１が用いられる。
【００１３】
荷台２上には後部から前部に至る主コンベヤ３を設け、主コンベヤ３を前方に向って上方に傾斜させ、その前端部を荷台２の前部に設けた混合機４の上部の開口部内に臨ませる。
【００１４】
主コンベヤ３の後部上方には機枠１４に後方傾斜ロールスクリーン５を固定して設け、ロール５’に１００ｍｍ間隔にフランジ５”を設けロール５’、５’間及びフランジ５”、５”間を１００×１００ｍｍ目の網目とし前後に隣接するロール５’、５’及びフランジ５”、５”が同一方向に回転して網目を動作させ、掘削土塊（篩下）を網目から落下させ、玉石のような篩上をロールスクリーン５の後方から他方に落下させるようになっている。
【００１５】
上記主コンベヤ３の中程上部に石灰粉供給機６を機枠１４で固定し、かつ混合機４の下部荷台２上に左右方向に摺動可能に混合物正逆コンベヤ７を配置する。この正逆コンベヤ７は回転方向を正逆変更することによって混合物を荷台２の右にも左にも搬送することができる（図２には右方に搬送する状態が示される）。
【００１６】
又図１仮想線で示すように混合物スクリーン８及び該スクリーン８の篩下搬出コンベヤ９を荷台２上に着脱自在に搭載し得るようになっている。混合物スクリーン８には２個の振動機８’、８’を有し、地上１０に降ろしてその下に篩下搬出コンベヤ９の右端を臨ませ、該搬出コンベヤ９の中程を２個の脚１１、１１で支持し該脚１１、１１の下端に車輪１２を設けて該コンベヤ９を図３に示すように外側に向って上向に傾斜させる。
【００１７】
石灰粉供給機６から主コンベヤ３上の含水掘削塊又は土に石灰粉を連続的に定量供給し（該定量は適宜設定することができる）、さらに混合機４に供給して、該石灰粉と掘削土と混合して埋戻用改良土を得ることができる。
【００１８】
又逆にトラック１等の荷台２上に前部から後部に至る主コンベヤ３を設け、主コンベヤ３の後端を荷台２の後部に設けた混合機４の上部に臨ませ、主コンベヤ３の前部上方にロールスクリーン５を配設して用い、中程上部に石灰粉供給機６を配設し、かつ上記混合機４の下部荷台２上に左右方向に摺動可能な混合物コンベヤ７を設け、混合物スクリーン８及び該スクリーンの篩下搬出コンベヤ９を荷台２上に着脱自在に搭載可能とすることができる（図６）。
【００１９】
尚図中１５で示すものは石灰粉末のテーブルフィーダ、１６は石灰粉供給機６の蓋、１７は混合機４の支持枠、１８は混合機４内に設けた混合ローラ、１９は該ローラ１８に懸垂した叩打棒、２０は混合ローラ１８の原動機、２１は主コンベヤ３のコンベヤベルト、２２は該ベルト２１の両側上部に接する掘削土又は石灰粉の漏出防止板、図２中２３は発電機、２４は発電機の動力盤、２５は発電機の制御盤、２６は発電機の操作盤、２６’は操作機器の操作盤、２７はロールスクリーン５の駆動用原動機、又２８は混合物スクリーン８の支持脚、２９は支持脚２８の下端に設けた車輪、３０は車輪受である。
【００２０】
【発明の効果】
本発明は上述のように構成したので公共工事で発生した掘削土の小規模ストックヤードに必要に応じて移動し、簡便に堆積掘削土を改良土に再生し得る効果がある。
【図面の簡単な説明】
【図１】本発明の残土リサイクル処理プラントを示す側面図である。
【図２】作業状態の平面図である。
【図３】図２Ａ−Ａ線による正面図である。
【図４】図２Ｂ−Ｂ線による正面図である。
【図５】図２Ｃ−Ｃ線による背面図である。
【図６】上記プラントをトラック荷台上に前後逆に搭載した状態の側面図である。
【符号の説明】
１    トラック
２    荷台
３    主コンベヤ
４    混合機
５    ロールスクリーン
６    石灰粉供給機
７    混合物コンベヤ
８    混合物スクリーン
９    篩下搬出コンベヤ
【図１】
0003761696.tif 000002
【図２】
0003761696.tif 000003
【図３】
0003761696.tif 000004
【図４】
0003761696.tif 000005
【図５】
0003761696.tif 000006
【図６】
0003761696.tif 000007